(57)【要約】【課題】通常の操作画面以外の情報が表示される時間を従来より長くする。【解決手段】切替制御部５４は、表示装置１１に広告情報が表示されている場合に、イベント検出部５５によりイベントリスト記憶部５３に格納されている第１のイベントの発生が検出されると、表示装置１１の表示内容を通常の操作画面に切り替え、イベント検出部５５により第１のイベントと対となる第２のイベントの発生が検出された場合、表示装置１１の表示内容を広告情報に切り替える。【選択図】図４
2009015055.tif 000002
【特許請求の範囲】
【請求項１】
通常の操作画面および通常の操作画面以外の情報を表示する表示手段と、
発生したイベントを検出するイベント検出手段と、
予め設定された第１のイベントと該第１のイベントと対となる第２のイベントを記憶する記憶手段と、
前記表示手段に通常の操作画面以外の情報が表示されている場合に、前記イベント検出手段により前記記憶手段に格納されている第１のイベントの発生が検出されると、前記表示手段の表示内容を通常の操作画面に切り替え、前記イベント検出手段により前記第１のイベントと対となる第２のイベントの発生が検出された場合、前記表示手段の表示内容を通常の操作画面以外の情報に切り替える切替制御手段と、
を有する画像形成装置。
【請求項２】
第１のイベントおよび第２のイベントを前記記憶手段に設定するための設定手段をさらに有する請求項１記載の画像形成装置。
【請求項３】
通常の操作画面と通常の操作画面以外の情報を表示する画面とを切り替える画面切り替え制御方法であって、
通常の操作画面以外の情報が表示装置に表示されている場合に、第１のイベントの発生が検出されると、表示装置の表示内容を通常の操作画面に切り替え、
前記第１のイベントと対となる第２のイベントの発生が検出された場合、表示装置の表示内容を通常の操作画面以外の情報に切り替える画面切り替え制御方法。
【請求項４】
通常の操作画面と通常の操作画面以外の情報を表示する画面とを切り替える画面切り替え制御方法をコンピュータに実行させるためのプログラムであって、
通常の操作画面以外の情報が表示装置に表示されている場合に、第１のイベントの発生が検出されると、表示装置の表示内容を通常の操作画面に切り替るステップと、
前記第１のイベントと対となる第２のイベントの発生が検出された場合、表示装置の表示内容を通常の操作画面以外の情報に切り替えるステップとをコンピュータに実行させるためのプログラム。
【発明の詳細な説明】
【技術分野】
【０００１】
本発明は、広告情報等の通常の操作画面以外の情報の表示を行う画像形成装置に関する。
【背景技術】
【０００２】
近年、オフィス内だけでなく、コンビニエンスストア、図書館、市役所等の不特定多数の人が集まる場所にもコピー機、プリンタ等の画像形成装置が設置されるようになっている。また、操作画面を表示するために画像形成装置に設けられる表示装置も大型化されている。そのため、このような画像形成装置の表示装置に、広告情報等の通常の操作画面以外の情報を表示して表示装置を有効利用することが行われるようになっている（例えば、特許文献１参照。）。
【０００３】
このように画像形成装置に広告情報等を表示した場合、ユーザが画像形成装置を利用しようとする際には、表示装置の表示内容を広告情報から通常の操作画面に戻す必要がある。
【０００４】
上記の特許文献１に開示された技術では、広告情報等の表示中にユーザが所定の操作を行うと画面内容を通常の操作画面に切り替え、ユーザによる操作が行われない状態で所定時間が経過した場合には操作画面から広告情報等の表示に切り替える切替制御方法が開示されている。
【０００５】
しかし、このような従来の切替制御方法では、ユーザが画像形成装置の操作を行ってから所定時間が経過しないと広告情報等の表示に切り替わらないため、ユーザの操作が煩雑だと広告情報が表示される時間が短くなってしまう。また、このような弊害を回避するために広告情報等の表示に切り替える際の所定時間を短くすれば、ユーザがまだ操作を継続したい場合でも操作の途中で広告情報表示に戻ってしまうという問題があった。
【０００６】
【特許文献１】特開２００１−３３１１５８号公報
【発明の開示】
【発明が解決しようとする課題】
【０００７】
上述した従来の画像形成装置では、ユーザの操作が煩雑だと通常の操作画面以外の情報が表示される時間が短くなってしまうという問題点があった。
【０００８】
本発明の目的は、通常の操作画面以外の情報が表示される時間を、従来より長くすることが可能な画像形成装置と画面切り替え制御方法およびプログラムを提供することである。
【課題を解決するための手段】
【０００９】
［画像形成装置］
上記目的を達成するために、本発明の画像形成装置は、通常の操作画面および通常の操作画面以外の情報を表示する表示手段と、
発生したイベントを検出するイベント検出手段と、
予め設定された第１のイベントと該第１のイベントと対となる第２のイベントを記憶する記憶手段と、
前記表示手段に通常の操作画面以外の情報が表示されている場合に、前記イベント検出手段により前記記憶手段に格納されている第１のイベントの発生が検出されると、前記表示手段の表示内容を通常の操作画面に切り替え、前記イベント検出手段により前記第１のイベントと対となる第２のイベントの発生が検出された場合、前記表示手段の表示内容を通常の操作画面以外の情報に切り替える切替制御手段とを有する。
【００１０】
本発明では、第１のイベントの発生を契機として表示内容を通常の操作画面以外の情報から通常の操作画面に切り替えた場合、第１のイベントの対として設定されている第２のイベントの発生を契機として表示内容を通常の操作画面以外の情報に戻すようにしている。従って、本発明によれば、第２のイベントが発生すれば所定時間の経過を待つことなく表示内容を通常の操作画面以外の情報に切り替えることができ、ユーザの操作が行われなくなってから所定時間経過後に表示内容を通常の操作画面以外の情報に切り替える場合と比較して、通常の操作画面以外の情報が表示される時間を長くすることができる。
【００１１】
好ましくは、本発明の画像形成装置は、第１のイベントおよび第２のイベントを前記記憶手段に設定するための設定手段をさらに有する。
【００１２】
［画像切り替え制御方法］
本発明の画像切り替え制御方法は、通常の操作画面と通常の操作画面以外の情報を表示する画面とを切り替える画面切り替え制御方法であって、
通常の操作画面以外の情報が表示装置に表示されている場合に、第１のイベントの発生が検出されると、表示装置の表示内容を通常の操作画面に切り替え、
前記第１のイベントと対となる第２のイベントの発生が検出された場合、表示装置の表示内容を通常の操作画面以外の情報に切り替える。
【００１３】
［プログラム］
本発明のプログラムは、通常の操作画面と通常の操作画面以外の情報を表示する画面とを切り替える画面切り替え制御方法をコンピュータに実行させるためのプログラムであって、
通常の操作画面以外の情報が表示装置に表示されている場合に、第１のイベントの発生が検出されると、表示装置の表示内容を通常の操作画面に切り替るステップと、
前記第１のイベントと対となる第２のイベントの発生が検出された場合、表示装置の表示内容を通常の操作画面以外の情報に切り替えるステップとをコンピュータに実行させる。
【発明の効果】
【００１４】
以上説明したように、本発明によれば、通常の操作画面以外の情報が表示される時間を、従来より長くすることができるという効果を得ることができる。
【発明を実施するための最良の形態】
【００１５】
次に、本発明の実施の形態について図面を参照して詳細に説明する。図１は本発明の一実施形態の画像処理システムの構成を示す図である。
【００１６】
図１に示すように、本実施形態の画像処理システムは、ネットワーク４０を介して接続された画像形成装置１０および広告情報配信サーバ３０を含む。広告情報配信サーバ３０は、画像形成装置１０の表示装置に表示するための各種広告情報が格納されており、予め設定された手順に基づいて広告情報を画像形成装置１０に配信する。画像形成装置１０は、印刷機能、複写機能、ファクシミリ送受信機能、スキャン機能を有する複合機である。
【００１７】
なお、本実施形態では、通常の操作画面以外の情報として広告情報を用いた場合について説明するが、本発明は、鉄道の運行状況、周辺の観光案内情報、イベント情報等の広告情報以外の他の情報を通常の操作画面以外の情報として画像形成装置１０の表示装置に表示させる場合でも同様に適用可能である。
【００１８】
次に、本実施形態の画像形成装置１０の外観の拡大図を図２に示す。
【００１９】
本実施形態の画像形成装置１０は、図２に示されるように、通常の操作画面および広告情報を表示するための表示装置１１、認証装置１２、受話器１３、課金装置１４、画像読み取り装置１５を有している。
【００２０】
認証装置１２は、例えば、非接触方式のＩＣカード等の認証カードに格納されている情報を読み取ることにより、認証カードを有するユーザの認証を行う。受話器１３は、一般公衆電話回線と接続されており、通常の電話機として使用可能となっている。画像形成装置１０のファクシミリ機能を使用する場合に、先ずこの受話器１３を用いて電話回線に接続し、送信先を確認してからファクシミリデータを送信することができるようになっている。
【００２１】
課金装置１４は、認証を受けないユーザに対して画像形成装置１０の利用料金を課金するための装置である。この課金装置１４にコインを投入することにより、ユーザは、投入されたコインに相当する料金分だけ画像形成装置１０を利用することができるようになっている。つまり、このような課金装置１４が設けられていることにより、認証カードを有しないユーザに対しても画像形成装置１０の各種機能が利用可能となる。
【００２２】
画像読み取り装置１５は、複写しようとする原稿、読み込もうとする原稿、ファクシミリ送信を行おうとする原稿の画像を読み取るための装置である。
【００２３】
次に、本実施形態の画像形成装置１０のハードウェア構成を図３に示す。
【００２４】
画像形成装置１０は、図３に示されるように、ＣＰＵ１６、メモリ１７、ハードディスクドライブ（ＨＤＤ）等の記憶装置１８、印刷装置１９、ネットワーク４０を介して広告情報配信サーバ３０等の外部の装置との間でデータの送受信を行う通信インタフェース（ＩＦ）２０、タッチパネル、操作ボタンまたは表示ランプ等を含むユーザインタフェース（ＵＩ）装置２１、画像読み取り装置１５、表示装置１１、課金装置１４、認証装置１２を有する。これらの構成要素は、制御バス２３を介して互いに接続されている。
【００２５】
ＣＰＵ１６は、メモリ１７または記憶装置１８に格納された画像処理プログラムに基づいて所定の処理を実行して、画像形成装置１０の動作を制御する。
【００２６】
図４は、上記の画像処理プログラムが実行されることにより実現される画像形成装置１０の機能構成を示すブロック図である。
【００２７】
本実施形態の画像形成装置１０は、図４に示されるように、広告情報取得部５１と、表示画面構成部５２と、イベントリスト記憶部５３と、切替制御部５４と、イベント検出部５５と、イベントリスト設定部５６と、表示装置１１とを備えている。
【００２８】
広告情報取得部５１は、ネットワーク４０を介して広告情報配信サーバ３０から配信されてきた広告情報を取得する。
【００２９】
表示画面構成部５２は、ＷＷＷ（World Wide Web）ブラウザ等のアプリケーションソフトウェアにより、広告情報取得部５１により取得された広告情報を表示するための画像データを生成する。また、表示画面構成部５２は、ＷＷＷブラウザ等のアプリケーションソフトウェアにより、画像形成装置１０を操作するための通常の操作画面を表示するための画像データを生成する。
【００３０】
イベントリスト記憶部５３は、予め設定された第１のイベントと、この第１のイベントと対となる第２のイベントを記憶する。イベントとは、画像形成装置１０に対して行われるボタンの押下、原稿のセット等の各種ユーザ操作や、複写動作やファクシミリ送信の終了等の機器の動作に伴い発生する状態変化が含まれる。
【００３１】
次に、イベントリスト記憶部５３に記憶されるイベントリストの一例を図５に示す。このイベントリスト記憶部５３には、図５に示すように、複数の第１のイベントと第２のイベントとがそれぞれ対となって記憶されている。
【００３２】
この図５に示したイベントリストでは、「原稿セット」という第１のイベントに対して、「原稿なし」というイベントが第２のイベントとして設定されている。つまり、ユーザが画像読み取り装置１５に原稿をセットすることにより第１のイベントが発生し、画像読み取り装置１５にセットされた原稿がなくなることにより第２のイベントが発生したこととなる。
【００３３】
同様にして、図５に示したイベントリストでは、「認証完了」という第１のイベントに対して、「認証解除」という第２のイベントが設定されている。つまり、ユーザが認証カードを認証装置１２に近づけて認証処理を行い認証された場合に第１のイベントが発生し、ユーザが必要な処理を終了して認証状態を解除した場合に第２のイベントが発生したこととなる。
【００３４】
また、図５に示したイベントリストでは、「現金投入」という第１のイベントに対して、「残金なし」という第２のイベントが設定されている。つまり、ユーザが課金装置１４にコインを投入することにより第１のイベントが発生し、課金装置１４の残金が無くなったことにより第２のイベントが発生する。
【００３５】
また、図５に示したイベントリストでは、「受話器１３のオンフック」という第１のイベントに対して、「受話器１３のオフフック」という第２のイベントが設定されている。つまり、ユーザが受話器１３を画像形成装置１０の本体から取り外すことにより第１のイベントが発生し、受話器１３を画像形成訴追１０の本体に戻すことにより第２のイベントが発生する。
【００３６】
また、図５に示したイベントリストでは、「用紙トレイの引き出し」という第１のイベントに対して、「用紙トレイの押し戻し」という第２のイベントが設定されている。つまり、ユーザが、白紙の用紙を蓄積しておくための用紙トレイを画像形成装置１０の本体から引き出したことにより第１のイベントが発生し、この用紙トレイを画像形成装置１０の本体に押し戻すことにより第２のイベントが発生する。
【００３７】
また、図５に示したイベントリストでは、「インターロックオープン」という第１のイベントに対して、「インターロッククローズ」という第２のイベントが設定されている。つまり、ユーザが紙詰まり等により画像形成装置１０のカバーを開けた場合に第１のイベントが発生し、このカバーを閉じることにより第２のイベントが発生する。ここでインターロックとは、カバー等が開けられたことを検出して画像形成装置１０の動作を停止させることによりユーザに危険が及ばないようにするための安全機構である。
【００３８】
さらに、図５に示したイベントリストでは、「ハードキー押下」という第１のイベントに対しては「ソフトボタン押下」という第２のイベントが設定されている。
【００３９】
ここで、ハードキーとソフトボタンについて図６を参照して説明する。図６（ａ）はハードキーの一例を示す図であり、図６（ｂ）はソフトボタンの一例を示す図である。図６（ａ）ではジョブ確認というハードキー６１が示されており、このハードキー６１が押下されることにより、表示装置１１には図６（ｂ）に示されるようなジョブ確認画面が表示される。そして、図６（ｂ）に示されたジョブ確認画面中には、このジョブ確認画面を閉じるためのソフトボタン６２が表示されている。ユーザがこのソフトボタン６２を触れることにより、このジョブ確認画面は閉じられ元の表示に戻る。
【００４０】
この図６に示した例において、ジョブ確認画面を開くためのハードキー６１の押下が第１のイベントとして設定されている場合、ジョブ確認画面を閉じるためのソフトボタン６２の押下を第２のイベントとして設定する。つまり、ジョブ確認を行うためのハードキー６１が押下された場合に第１のイベントが発生し、ジョブ確認画面を閉じるためのソフトボタン６２が押下されたことが第２のイベントの発生となる。
【００４１】
イベント検出部５５は、画像形成装置１０において発生したイベントを検出する。イベントリスト設定部５６は、第１のイベントおよび第２のイベントを対にしてイベントリスト記憶部５３に設定する。
【００４２】
切替制御部５４は、表示装置１１に広告情報が表示されている場合に、イベント検出部５５によりイベントリスト記憶部５３に格納されている第１のイベントの発生が検出されると、表示装置１１の表示内容を通常の操作画面に切り替え、イベント検出部５５により第１のイベントと対となる第２のイベントの発生が検出された場合、表示装置１１の表示内容を広告情報に切り替える。
【００４３】
この切替制御部５４による切替制御を図７を参照して説明する。
切替制御部５４は、通常の操作画面を表示するためのウィンドウ１と、広告情報等の通常の操作画面以外の情報を表示するためのウィンドウ２を予め用意しておき、手前に表示するウィンドウ切り替えることにより、表示装置１１に表示させる画面内容の切替を行っている。
【００４４】
例えば、図７（ａ）では、切替制御部５４が、通常の操作画面以外の情報が表示されているウィンドウ２をウィンドウ１の手前に表示させることにより、表示装置１１には、通常の操作画面以外の情報が表示される。そして、この状態において、図７（ｂ）に示されるように、ウィンドウ１を手前に表示させることにより、表示装置１１には、通常の操作画面が表示されることとなる。
【００４５】
このようにして、表示装置１１において通常の操作画面と通常の操作画面以外の情報とが切り替えられた場合の一例を図８に示す。
【００４６】
図８（ａ）は、「携帯電話は○○○電器店で！」という広告情報が表示装置１１に表示された場合の例を示す図であり、図８（ｂ）は、画像形成装置１０の機能を選択するためのメニュー画面という通常の操作画面が表示装置１１に表示された場合の例を示す図である。
【００４７】
本実施形態の画像形成装置１０では、イベントリスト記憶部５３に記憶されている第１のイベントまたは第２のイベントの発生に伴い、表示装置１１の表示内容が、図８（ａ）に示すような広告情報と図８（ｂ）に示すような通常の操作画面との間で切り替えられる制御が行われる。
【００４８】
次に、本実施形態の画像形成装置１０の動作を図面を参照して詳細に説明する。
本実施形態の画像形成装置１０の動作を図９のフローチャートに示す。
【００４９】
先ず、広告情報取得部５１は、ネットワーク４０を介して広告情報配信サーバ３０から配信されてきた広告情報を取得し、表示画面構成部５２は、広告情報取得部５１により取得された広告情報を表示するための画像データを生成する。また、表示画面構成部５２は、画像形成装置１０を操作するための通常の操作画面を表示するための画像データを生成する。ここでは、ユーザによる操作が一定期間以上行われなかったため、切替制御部５４は、表示装置１１の表示内容を広告情報に切り替えているものとする。
【００５０】
このような状態においてイベント検出部５５が、画像形成装置１０において何等かのイベントの発生を検出すると（ステップＳ１０１）、切替制御部５４は、現在の表示装置１１には広告情報が表示中であるか否かを判定する（ステップＳ１０２）。そして、表示装置１１において広告情報が表示中である場合、切替制御部５４は、イベント検出部５５により検出されたイベントが、イベントリスト記憶部５３に記憶されているイベントリストの中のいずれかの第１のイベントであるか否かを判定する（ステップＳ１０３）。
【００５１】
ステップＳ１０３において、イベント検出部５５により検出されたイベントがいずれの第１のイベントとも一致しなかった場合には、切替制御部５４は、画像形成装置１０に何等かのイベントが発生するまで待機する（ステップＳ１０１）。ステップＳ１０３において、イベント検出部５５により検出されたイベントがいずれの第１のイベントと一致した場合、切替制御部５４は、その第１のイベントを記録し（ステップＳ１０４）、表示装置１１の表示内容を広告情報から通常の操作画面に切り替える（ステップＳ１０５）。
【００５２】
そして、次に何等かのイベントの発生がイベント検出部５５により検出された場合（ステップＳ１０１）、切替制御部５４は、現在の表示装置１１には広告情報が表示中であるか否かを判定する（ステップＳ１０２）。ここでは、表示装置１１には、通常の操作画面が表示されているため、切替制御部５４は、第１のイベントが記憶されているか否かを判定する（ステップＳ１０６）。ここでは、ステップＳ１０４において、既に第１のイベントが記録されているため、切替制御部５４は、イベント検出部５５により検出されたイベントが、記録されている第１のイベントと対になるイベントとして記録されている第２のイベントであるか否かの判定を行う（ステップＳ１０７）。
【００５３】
ステップＳ１０７において、イベント検出部５５により検出されたイベントが第２のイベントと一致しなかった場合には、切替制御部５４は、画像形成装置１０に何等かのイベントが発生するまで待機する（ステップＳ１０１）。ステップＳ１０７において、イベント検出部５５により検出されたイベントが第２のイベントと一致した場合、切替制御部５４は、表示装置１１の表示内容を広告情報に切り替える（ステップＳ１０８）。
【００５４】
このようにして、第１、第２のイベントの発生により表示装置１１の表示内容が切り替えられるタイミングを図１０を参照して説明する。
【００５５】
表示装置１１に、図８（ａ）に示したような広告情報が表示されている状態において第１のイベントが発生した場合（時刻ｔ１）、表示装置１１の表示内容は、図８（ｂ）に示したような通常の操作画面の表示に切り替わる。そして、このような状態において、第１のイベントと対になるイベントとして設定されている第２のイベントが発生すると（時刻ｔ２）、表示装置１１の表示内容は、図８（ａ）に示したような広告情報の表示に切り替わる。
【００５６】
本実施形態の画像形成装置１０では、第１のイベントの発生を契機として表示内容を広告情報から通常の操作画面に切り替えた場合、第１のイベントの対として設定されている第２のイベントの発生を契機として表示内容を通常の操作画面以外の情報に戻すようにしている。従って、本実施形態の画像形成装置１０によれば、第２のイベントが発生すれば所定時間の経過を待つことなく表示内容を広告情報に切り替えることができ、ユーザの操作が行われなくなってから所定時間経過後に表示内容を広告情報に切り替える場合と比較して、広告情報が表示される時間を長くすることができる。
【００５７】
例えば、表示装置１１に広告情報が表示された状態でユーザが複写を行なおうとして原稿を画像読み取り装置１５にセットした場合、表示装置１１の表示内容は広告情報から通常の操作画面に切り替わる。そして、ユーザが画像形成装置１０に対して操作を行い複写処理が実行され画像読み取り装置１５にセットされた原稿が無くなった場合、表示装置１１の表示内容は通常の操作画面から広告情報に切り替わり元の表示内容に戻ることとなる。
【００５８】
つまり、本実施形態の画像形成装置１０では、第１のイベントとして設定されている画像読み取り装置１５への原稿セットというイベントにより表示内容が広告情報から通常の操作画面に切り替わった場合、ユーザの操作が行われなくなってから一定期間待ってから表示装置１１の表示内容を広告情報に切り替えるのではなく、第２のイベントとして登録されている画像読み取り装置１５にセットされていた原稿が無くなったことを契機として表示内容が広告情報に切り替わる。
【００５９】
このことにより、ユーザの操作が行われなくなってから一定期間待ってから表示装置１１の表示内容を広告情報に切り替える場合と比較して、短時間で表示内容を広告表示に戻すことが可能となる。その結果、広告情報が表示されている期間を長くすることが可能となる。
【００６０】
[変形例]
上記実施形態では、画像形成装置１０の表示装置１１に広告情報等の通常の操作画面以外の情報を表示する場合を用いて説明したが、本発明はこれに限定されるものではなく、ＡＴＭ（Automated Teller Machine）端末装置、ＰＯＳ（Point-Of-Sales）端末装置等の表示装置を有する情報処理装置において、広告情報、各種案内情報等の通常表示される情報とは異なる情報を表示するような場合でも同様に本発明を適用することができるものである。
【図面の簡単な説明】
【００６１】
【図１】本発明の一実施形態の画像処理システムの構成を示すシステム図である。
【図２】本発明の一実施形態の画像形成装置１０の外観の拡大図である。
【図３】本発明の一実施形態の画像形成装置１０のハードウェア構成を示すブロック図である。
【図４】本発明の一実施形態の画像形成装置１０の機能構成を示すブロック図である。
【図５】イベントリスト記憶部５３に記憶されるイベントリストの一例を示す図である。
【図６】ハードキーとソフトボタンの一例を説明するための図である。
【図７】切替制御部５４による切替制御の一例を説明するための図である。
【図８】表示装置１１において通常の操作画面と広告情報とが切り替えられる制御の一例を示す図である。
【図９】本発明の一実施形態の画像形成装置の動作を示すフローチャートである。
【図１０】第１、第２のイベントの発生により表示装置１１の表示内容が切り替えられるタイミングを説明するための図である。
【符号の説明】
【００６２】
１０    画像形成装置
１１    表示装置
１２    認証装置
１３    受話器
１４    課金装置
１５    画像読み取り装置
１６    ＣＰＵ
１７    メモリ
１８    記憶装置
１９    印刷装置
２０    通信インタフェース（ＩＦ）
２１    ユーザインタフェース（ＵＩ）装置
２３    制御バス
３０    広告情報配信サーバ
４０    ネットワーク
５１    広告情報取得部
５２    表示画面構成部
５３    イベントリスト記憶部
５４    切替制御部
５５    イベント検出部
５６    イベントリスト設定部
６１    ハードキー
６２    ソフトボタン
Ｓ１０１〜Ｓ１０８    ステップ
【図１】
2009015055.tif 000003
【図２】
2009015055.tif 000004
【図３】
2009015055.tif 000005
【図４】
2009015055.tif 000006
【図５】
2009015055.tif 000007
【図６】
2009015055.tif 000008
【図７】
2009015055.tif 000009
【図８】
2009015055.tif 000010
【図９】
2009015055.tif 000011
【図１０】
2009015055.tif 000012